(57)【要約】【課題】  従来技術の欠点を克服する液体試料収集システムの提供。【解決手段】  液体試料収集システムは、液体試料を受容するための内部貯留槽を有する容器、及び液体試料を収集することを容易にするために容器に連結し得る弁組立体を含む。弁組立体は、液体を容器内に導くための漏斗形状入口を具備する弁、及び容器が満たされた時に自動的に閉じる弁を具備する弁ハウジングを含む。弁組立体は、微粒子物質が弁ハウジング入口に入らないように禁じるように形状構成した分離器を更に備える。【選択図】  図３
2004301842.tif 000002
【特許請求の範囲】
【請求項１】
液体の流れから液体試料を受容するための内部貯留槽を具備する容器を含む液体試料収集装のための弁組立体であって、
前記容器の貯留槽内に液体の流れを向けるために該容器に連結可能な弁ハウジングであって、前記流れに露出させるための入口と、前記貯留槽と連通する出口と、を具備する前記弁ハウジングと、
前記弁ハウジング内に設置され、前記液体が前記弁ハウジングを通過することを可能にする開状態と、前記弁ハウジングを液体が通過することを阻止する閉状態との間で作動可能な弁と、
前記弁ハウジング入口と協働し、前記入口を経て前記弁ハウジングを通る液体を導き、かつ前記弁ハウジングの入口内に微粒子物質が通るのを禁じるように形状構成した分離器と、を備える弁組立体。
【請求項２】
前記弁組立体では、前記弁ハウジング入口が絞り部分を具備する、請求項１に記載の弁組立体。
【請求項３】
前記弁は、フロートと、前記弁ハウジングを内に配置した弁座と、を備え、前記フロートは、前記容器貯留槽内に受容した液体によって前記弁在に対する非着座係合と着座係合との間に配置されることにより前記フロートを前記開位置と前記閉位置との間に、それぞれ、移動させるように形状構成した、請求項１に記載の弁組立体。
【請求項４】
前記分離器は、前記弁ハウジング入口に近接して配置され、前記弁ハウジング入口内に液体を導きかつ微粒子物質が前記弁ハウジング入口を迂回するように形状構成した少なくとも１つの表面を備える、請求項１に記載の弁組立体。
【請求項５】
前記分離器は、前記弁ハウジング入口に近接して配置され、前記弁ハウジング入口内に液体を導きかつ微粒子物質が前記弁ハウジング入口を迂回するように形状構成した湾曲面を備える、請求項４に記載の弁組立体。
【請求項６】
前記表面は、下向きかつ外向きに延在する上部表面部分と、下向き且つ内向きに延在する下部表面部分を備える、請求項４に記載の弁組立体。
【請求項７】
前記表面は第１最外周を具備し、前記弁ハウジングは第２最外周を具備し、前記第１最外周は、前記弁ハウジングに微粒子物質が入ることを禁じるために少なくとも前記第２最外周まで延在する、請求項４に記載の弁組立体。
【請求項８】
前記分離器は全体的に楕円形状を有する、請求項５に記載の弁組立体。
【請求項９】
前記弁ハウジング内に配置されかつ微粒子物質が前記弁ハウジングを通過することを禁じながらも該弁ハウジングを流過する液体の流れを許容するように形状構成したフィルターを更に備える、請求項１に記載の弁組立体。
【請求項１０】
前記弁組立体が前記容器に連結された時に前記容器貯留槽と連通し、かつ前記弁によって前記容器貯留槽で受容した液体によって排除されたガスが前記容器貯留槽から逃げることを可能にするように形状構成した通気孔を更に備える、請求項１に記載の弁組立体。
【請求項１１】
前記通気孔は、前記弁ハウジング出口経由で前記容器貯留槽に連通する導管を備える、請求項１０に記載の弁組立体。
【請求項１２】
前記弁が前記閉状態にある後に前記入口に入る液体を排水する弁組立体に配置した穴を更に備える、請求項１に記載の弁組立体。
【請求項１３】
液体試料収集システムであって、
内部に開く入口を通じて液体試料を受容するように形状構成した容器と、
前記容器入口開口を経て前記容器に連結可能な弁組立体と、を備え、
前記弁組立体が、
前記容器入口開口と液体連通する弁ハウジングであって、弁入口及び出口を具備し、前記容器内に液体の流れを向けるように形状構成した弁ハウジングと、
前記弁ハウジング内に設置され、液体が前記容器入口開口を介して前記弁ハウジングを通過して前記容器内に入ることを可能にする開状態と、前記弁ハウジングを液体が通過することを阻止する閉状態との間で作動可能な弁と、
前記弁入口と協働し、前記ハウジング入口を介して前記弁ハウジングを通じて液体を導き、かつ前記弁ハウジングの前記入口内に微粒子物質が通過するのを禁じるように形状構成した分離器と、を備える液体試料収集システム。
【請求項１４】
前記容器及び前記弁組立体を受容するように寸法づけた内部チャンバを具備するレセプタクルであって、前記内部チャンバと連通するレセプタクル入口及びレセプタクル出口を具備し、及び前記内部のチャンバ内の前記容器及び前記弁組立体を着脱自在に支持するように形状構成した前記レセプタクルと、
前記レセプタクル入口に近接して前記レセプタクルに着脱自在に結合したカバーであって、前記レセプタクル入口を介して前記内部のチャンバ内への液体の前記流れを許容し、及び非液体砕片が前記レセプタクル入口から前記内部チャンバに入るのを防ぐために貫通して形成した少なくとも１つのアパーチャを具備する前記カバーと、を備える請求項１３に記載の液体試料収集システム。
【請求項１５】
前記レセプタクルに連結可能でありかつ該レセプタクルより上に位置づけた支持部から前記レセプタクルを垂下するように形状構成した、請求項１４に記載の液体試料収集システム。
【請求項１６】
地面と係合するように構成した取付部材を更に備え、前記取付部材は前記レセプタクルを前記地面より上の所定距離に支持するために該レセプタクルに連結可能である、請求項１４に記載の液体試料収集システム。
【発明の詳細な説明】
【技術分野】
【０００１】
本発明は環境監視、より詳細には、液体流れから液体試料を収集するためのシステムに関する。
【背景技術】
【０００２】
産業設備のような汚染源から環境に入る汚染物質及び他の汚染物質を監視且つ制御する活動において、政府は、雨水流去水から試料を収集することをこれらの汚染源に要求する規則を立法化した。例えば、米国環境保護庁（ＥＰＡ）は、１インチ以上の大きさの蓄積を引き起こしかつ試料収集を要求した先の暴風時から７２時間を越えて生じる暴風時からの試料水の収集を要求する規則を発行した。一般的に、収集試料は「取得試料」としばしば呼称され、暴風時の最初の３０分以内に生じる暴風時流去水を含むことが要求される。連邦規定に加えて、多くの州も産業設備が公共の暴風時排水管システム内に排出可能にするためにこれらの産業設備への許可を発行するに先立って液体試料の収集を要求する綱領も制定した。
【０００３】
適切な試料を収集するために、暴風雨の襲撃時に液体を収集するために、及び暴風時に先立って、砕片又他の汚染物質の収集を防ぐためにも、液体収集システムは操作可能でなければならない。収集システムは、３０分間隔後の液体の収集を停止することができ、そうでなければ、試料の望ましくない汚染が生じる。
【０００４】
暴風の発生は散発的且つ予測不能であり得るため、暴風時の最初に液体の収集のための位置に試料収集装置を配置するために人員を待機させることは実際的でない。従って、人間の介在の必要無しで暴風流去水の自動収集を可能にする収集システムが開発されてきた。これらの自動収集システムの多くは複雑なハードウェア及び／又は極めて高価な電子監視設備を含む。従来技術文献に記載の装置のような、暴風時の最初に開くことができる他の厳密な機械システムは有用である。しかしながら、これらの装置は複雑であり、したがって、極めて高価であった。これらの先の暴風水収集システムがこれらを使用する必要がある人々に課した財政負担は、政府規制に応じないかなり重大なレベルに繋がった。更に、従来技術文献に記載されたような機械システムは、暴風時に先立って試料収集装置を開くための機構の不注意な軌道を受ける。暴風水を収集するためのより単純なシステムは利用可能であるが、これらは大きな砕片を排除するために格子のみによってしばしば保護される、全体的に開いた容器を備える。これらのシステムは、格子を通過するか、及び暴風時に先立った容器内を通過し得る所望しない砕片の収集を防がない。また、取得資料が得られた後に、これらは更なる液体の蓄積を防がない（例えば、特許文献１参照）。
【特許文献１】米国特許第５，８２１，４３７号明細書
【発明の開示】
【発明が解決しようとする課題】
【０００５】
このように、上に検討したような従来技術の欠点を克服する液体試料収集システムに対する要求が存在する。
【課題を解決するための手段】
【０００６】
本発明は、暴風雨流去水の任意抽出の自動収集を促進する液体試料収集システムを提供する。システムは、容器内への暴風雨流去水からの液体を導くように形状構成した液体試料収集容器及び弁組立体を備える液体試料収集装置を含む。弁組立体は、液体を容器内に直に導く支援をするために漏斗形状入口を具備するハウジングを含む。弁組立体は、液体を容器内に収集可能にする開放状態と、液体が容器内に収集されることが阻止される閉状態と、を含む。従って、弁の閉位置は、収集後、液体試料の品質を保存する支援をする。
【０００７】
弁組立体は、微粒子物質が容器に入るのを阻止する間に液体を容器内に導くように形状構成した分離器も含む。典型的な実施形態では、分離器は、弁ハウジングの入口内に、及び容器内に水が流入することを可能にする曲面を有する。曲面と接触する微粒子物質は、入口から遠方に逸らされかつ液体試料と共に収集されない。
【０００８】
本発明の別の態様では、液体試料収集システムは、上述したような液体試料収集装置、及び液体試料の収集中に液体試料収集装置を含むためのレセプタクルを含む。有利なことに、レセプタクルは、液体試料の収集を容易にする様々な環境及びロケーションに位置づけられるように形状構成される。
【０００９】
本発明の特徴及び目的は、添付図面と共に、以下の詳細な説明からより容易に明白になる。
【発明を実施するための最良の形態】
【００１０】
図１〜図３を参照すると、本発明の典型的な液体試料収集装置１０が示されている。液体試料収集装置１０は、液体の流れから液体試料を受容するための円筒状首部１６ａによって画定されたその上端部に内部貯留槽１４及び開口１６を具備する容器１２を含む。装置１０は、容器１２の開口から内部貯留槽１４に到る液体を弁で調節する弁組立体１８を更に含む。図示した典型的な実施形態では、容器１２は、ニューヨーク州ロチェスターのＮａｌｇｅ  Ｎｕｎｃ  Ｉｎｔｅｒｎａｔｉｏｎａｌから入手可能な部品番号＿で示される１リットルプラスチックボトルを備える。留意すべきは、容器１２は、内部にねじが切られたクロージャー１７を受容するために、外部にねじが切られることが好ましい開口１６を包囲し且つ画定する首部分を具備する。クロージャー１７は、液体試料収集を促進するために弁組立体１８を受容する穴１９を具備する。液体試料が得られた後、クロージャー１７は取外され穴を具備しない別のクロージャー１７ａと取り替え得る。これにより、容器１２の液体内容物は密封し得る。
【００１１】
弁組立体１８は、貯留槽１４内に流れを向けるための容器１２に連結可能な弁ハウジング２０と、開閉状態の間で作動可能であり、これにより、弁ハウジング２０を通る液体の流れを許容又は阻止する弁と、を含む。図示した典型的な実施形態では、弁組立体１８は浮力ボールの形態をしたフロート２２を備える。フロート２２は、入口２４を画定するフレアが付けられ、漏斗形状の上部マージン２８と、下部出口２６との間の弁ハウジング２０内に含まれる。弁組立体１８は、弁ハウジング２０によって液体を導きかつ汚れ、小さな小石及び他の砕片のような微粒子物質が弁ハウジング２０に入るのを阻止するために構成した分離器３０を更に含む。
【００１２】
図示した典型的な実施形態では、分離器３０は、弁ハウジング２０の入口２４に近接した、弁組立体１８に連結される上部部材３２及び下部部材３４を具備する２部片組立体である。分離器３０は、全体的に楕円形状を有する。また、上部及び下部部材３２、３４の各々は、楕円形状の半体を構成する。下部部材３４は、幾つかの下向きに延在する脚３６、及び、下部部材３４の中央部分から上向きに延在する、中空で管状のスピンドル３８を具備する。上部部材３２を貫通して形成した中央穴４０は、スピンドル３８の外部に係合するように形状構成され、これにより、上部及び下部部材３２、３４は互いに連結し得る。上部部材３２は、上部部材３２の整合及び下部部材３４との係合を容易にするために、上部部材３２の下側部分の周りで円周方向に配置した幾つか下向きに延在するリブ４２を更に含む。スピンドル３８の上側部分は、その外面上に形成した一連の刻み目又は歯４４を含む。上部部材３２上の穴４０は、刻み目又は歯４４に摩擦係合するように寸法づけられ、これにより、上部部材３２及び下部部材３４は、刻み目又は歯４４によって，穴４０の係合によって互いに固定し得る。
【００１３】
図示した典型的な実施形態では、分離器３０はその入口２４に近接して配置された弁ハウジング２０に連結される。より詳細には、下部分離部材３４の下向きに延在する脚３６は、弁ハウジング２０のフレアが付けられたマージン２８内に形成したスロット５６に係合する。図２及び図３に最も明白に示すように、肩部４６及びタブ４８は、脚３６の遠位端に形成される。肩部４６は、弁ハウジング２０のフレアが付けられ、漏斗形状の上部余白２８上に分離器３０を支持する助けをする。また、タブ４８は、脚３６が、弁ハウジング２０のフレアが付けられた上部余白２８に形成したスロット５６を通じて挿入される時に分離器を弁ハウジング２０に固定する助けをする。
【００１４】
スピンドル３８の遠位端は、分離器の最上部材の上側部分より上に延在し、弁組立体１８を把持することを可能にし、これにより、試験位置からの収集装置１０の取外しを容易にする。スピンドル３８の遠位端には、フック又はリング（図示せず）をスピンドル３８に連結して収集装置１０の取外しを支援する穴４９を貫通して形成し得る。
【００１５】
分離器３０の下部部材３４は、分離器３０の内部に偶然にも入り得る液体を排水するために、下部部材３４の壁を貫通して形成した穴５８を更に含む。
【００１６】
図３及び図３Ａに示すように、分離器３０の外面は湾曲しておりかつ、矢印５０によって示すように、液体を弁ハウジング２０の入口２４内に導く一方で、汚れ、ほこり、小さな小石又は他の砕片５２のような粒子を、矢印５４に示すように、弁ハウジング２０の入口２４より下で、下向きに逸らす。特に、液体が分離器３０の表面に衝突するので、液体は重力によって上部分離部材３２の外面３２ａに沿って下向きに引かれ、次に、矢印５０で示す流路によって示すような液体の表面張力の影響により、下部分離部材３４の表面３４ａを越えて下向きかつ内向き流れ続ける。液体流れが、下部分離部材３４の表面３４ａに沿って進むにつれて、液体に対する重力の影響は、結局、表面張力を越える。この液体は、その後、弁ハウジング２０の漏斗形状の入口２４内に重力により引っ張られる。同様に、上部分離部材３２の表面３２ａに衝突する固体粒子５２は、上部分離部材３２の表面３２ａを超えて重力により下向きに引っ張られるが、下部分離部材３４の内向き湾曲面３４ａに追従できず、従って、その最上部外周部分から下向きに落下し、矢印５４によって示すように、弁ハウジング２０の入口２４を外向きに通って弁ハウジングに入らない。
【００１７】
本発明の典型的な分離器３０を示しかつ全体的に楕円形状を有するものとして説明してきたが、分離器３０は、外向きかつ下向きに延在する第１面部分と、内向きかつ下向きに延在する第２面を具備し、これにより、液体の流れが弁ハウジング２０の入口２４に導かれかつ粒状物質が入口２４から外向きにそらされ、これにより液体の流れが弁ハウジング２０の入口に入るのを阻止する、球状面、あるいは他の湾曲面のような他の形状構成を有し得る。好ましくは、分離器３０の最外周は、弁ハウジング入口２４の最外周まで少なくとも延在する。その結果、分離器３０から落下する粒子５２は入口２４に入らず、かくして、液体試料と一緒に収集されないように阻止される。
【００１８】
図３及び図３Ａを続けて参照して、液体流れから液体試料を集める液体試料収集装置１０の使用を検討する。装置１０は液体暴水流出流れの少なくとも一部に晒されるように位置づけられる。その結果、液体は分離器３０の上面に衝突しかつ分離器の表面周りで重力により引っ張られて弁ハウジング２０の入口２４内に入る一方で、粒状物質は、上述したように、液体から分離される。液体が、入口２４から弁ハウジング２０の出口２６まで流れる時、液体は図３に示す位置から弁ハウジング２０の出口２６から離れて上向きに浮力フロート２２を移動させる一方で、水が容器１２の内部貯留槽１４に収集される出口２６を通過して降下するのを許容する。液体１５が貯留槽１４に蓄積する時、液体の水準１５は上昇しかつ、結局、図３Ａに示すように、弁ハウジング内に形成した弁座６０ａに向けて上向きに移動する。図示した典型的な実施形態では、弁座６０ａは、弁入口２４と弁ハウジング２０の弁出口２６との間に位置づけたゴム製ガスケット６０に形成した開口６２の下部円形端縁を備える。図３に示すように、フロート２２が弁座６０ａと接触する位置から外の位置にある時、液体は下向きに流れてガスケット６０の穴６２を通り、更に弁ハウジング２０の出口２６を通り容器１２の内部貯留槽１４内に入る。貯留槽１４内の液体水準１５の増加によりフロート２２が上昇する時、図３Ａに示すように、フロート２２は、結局、ガスケット６０に係合する。フロート２２は座６０ａに係合する。これにより、更なる液体はガスケット６０に形成した開口６２を経て貯留槽１４に入ることを阻止される。有利なことに、容器１２の内容積は、暴風時流去水の３０分取得試料にほぼ対応する暴風時流去水の容積を受容するように寸法づけられる。フロート２２が弁座に係合した後も、更なる液体は容器に入らないように阻止されるかつ収集した取得試料の品質は維持される。
【００１９】
弁ハウジング２０は、フレアが付けられたハウジング断面２８を通じて形成されかつ、そうでなければ、弁が閉条件に移動さした後に弁座より上に捕捉されるようになり得る液体物質を排水するように形状構成した小さな穴６４（図３Ａ）を更に含み得る。好ましい実施形態では、弁が閉位置に移動した後に弁ハウジング２０に残っている流体の容積が、弁ハウジング２０が取り外された後の容器１２を満たすために必要とされる流体の容積に等価であるように、弁ハウジング２０は形状構成される。従って、弁組立体１８が容器１２の開口から取り外される時、弁ハウジング２０に残っている液体は容器１２を完全に満たすために内部貯留槽１４内に排出する。
【００２０】
図３Ａを続けて参照すると、弁組立体１８は、液体が貯留槽１４を満たす時に、貯留槽１４に当初は存在していた空気が容器１２から除去可能にする内部貯留槽１４と連通する通気孔を更に含む。図示した典型的な実施形態では、通気孔は、弁ハウジングの壁のポート経由で、弁ハウジング２０の内部に連結した第１端部７２を具備する導管７０を備える。この導管は、次いで、弁ハウジング出口２６を通じて内部貯留槽１４と連通する。導管７０は、弁ハウジングの開口２０ａ及び下部分離部材３４を介して、弁ハウジング２０から上向きに延在して分離器３０の内部に入る。これにより、分離器３０内に位置づけられた導管７０の第２端部７４は、そうでなければ導管７０を塞ぐであろう液体又は砕片に対する露出から保護される。導管７０の第１端部７２は、弁ハウジング２０の外部壁に隣接して位置づけられ、かつガスケット６０の下の領域に設置され、これにより、第１端部７２は液体及び砕片からも保護される。有利なことに、液体が内部貯留槽１４を満たす時、液体によって排除された空気は、弁ハウジング２０から、導管７０を通り、及び第２端部７４から外に、導管７０の第１端部７２内に流過し得る。
【００２１】
弁組立体１８は、弁ハウジング２０内及び弁座６０ａの上流に配置したディスク形状のフィルター７６を更に含み得る。フィルター７６は、液体がフィルター７６を通過可能にするが微粒子が内部貯留槽１４に入るのを防ぐために、貫通形成した一連の穴７８を含む。フィルター７６は、弁座６０ａより上の弁ハウジング２０の内壁面に摩擦係合する外周端縁を具備する。有利なことに、フィルター７６を貫通して形成した穴７８は、所望により、特定寸法を越える粒子を濾過又は分離するように寸法づけ且つ配置される。別の典型的な実施形態（図示せず）では、フィルターは、多孔質膜を備え、これにより非常に細かい粒子さえ、弁ハウジング２０から貯留槽１４内に流過する液体から濾過又は分離し得る。このフィルターは、弁ハウジング２０を通過する液体の流速を制御するためにも使用し得る。これにより、大きな複数の穴は弁ハウジング２０を通過する迅速な流れと、貯留槽１４の対応する急速な充填を与えるために使用し得る。より小さな穴、あるいは多孔質膜は、弁ハウジング２０と、容器１２の内部貯留槽１４内の液体の対応する緩やかな蓄積によってより遅い流れを与えるために使用し得る。
【００２２】
有利なことに、フィルター７６は粒子が容器１２に入りかつ液体試料を汚染するのを防ぐために作動する。従って、液体試料収集装置１０は、分離器３０なしで別様に使用し得る。これにより、フィルター７６は到来する流れから粒子を分離するために働く。別の典型的な実施形態では、例えば、到来する液体の暴風雨流去水に付随する粒子物質を含み得る試料を収集することが所望される時に、液体試料収集装置１０は、フィルター７６又は分離器３０の何れも無しで使用し得る。
【００２３】
図３に示す典型的な実施形態では、本発明の液体試料収集システム８０は、液体試料の収集用の液体試料収集装置１０を収容するためにレセプタクル８２を更に含む。レセプタクル８２は、容器１２及び弁組立体１８を受容するように寸法づけた入口８１、出口８３及び内部チャンバ８４を具備する。これにより、容器１２及び弁組立体１８は、液体試料を収集するためにレセプタクル８２内に着脱自在に配置し得る。図示した典型的な実施形態では、レセプタクル８２は、容器１  ２及び弁組立体１８を受容するように寸法付けた内径８６を有するプラスチックチューブを備える。レセプタクル８２の側壁を内向きに貫通して延在する幾つかのスタッド８８は、容器１２及び弁組立体１８に対する支持をする。これにより、容器１２及び弁組立体１８はレセプタクル入口８１の真下の所望深さにあるレセプタクル８２内に位置づけし得る。
【００２４】
液体試料収集システム８０は、レセプタクル入口８１上に着脱自在に受容されるカバー９０を更に含む。カバー９０は、内径８６でレセプタクルに摩擦係合するレセプタクル入口８１内に受容される下向きに延在するスカート部分９１と、カバー９０がレセプタクル８２内に押圧されるのを阻止するために、入口８１に極めて近い、レセプタクル８２の端部に係合するように形状構成した外向きに延在するフランジ部分９３と、を含む。カバー９０は、液体がレセプタクル８２の入口８１に入りかつブランチ、石又は他の砕片のような大きな粒子がレセプタクル８２に入るのを阻止するために貫通して形成した少なくとも１つの穴９２を含む。図示した典型的な実施形態では、カバー９０は、液体試料収集装置１０がアクセスされている一方、カバー９０の損失を防ぐのを支援するチェーン９４によって、またはカバー９０がレセプタクル８２から不注意に分けられるという出来事で、レセプタクル８２に拘束される。レセプタクル８２の出口８３はレセプタクル８２から通るべき容器１２に集められなかった液体を許すために形成される。
【００２５】
図示した典型的な実施形態では、レセプタクルは、出口８３に極めて近いこのレセプタクルに連結した排水管キャップ９６を更に含む。排水管キャップ９６は、液体物質がレセプタクル出口８３を通過可能にするために排水管キャップ９６を貫通して形成した穴９８と共に、カバー９０に類似する構造を有する。排水管キャップ９６は、レセプタクル８２内の液体試料収集装置１０を支持するスタッド８８によってレセプタクル８２に固定される。メッシュスクリーン１００は、レセプタクル８２を流過する液体を更に濾過するために、出口８３に極めて近くの、レセプタクル８２内にも配置し得る。
【００２６】
有利なことに、レセプタクル８２は、液体試料の収集を容易にするために様々な環境に位置づけられるように形状構成される。図３に示す１つの典型的な実施形態では、レセプタクル８２の入口８１とカバー９０が同一水平面又は僅かに低い水平面にあるように、レセプタクル８２を地面１０１に設置し得る。この形状構成は、試験領域の地面上を流れる液体の収集を容易にするために有用であり得る。レセプタクル８２内の液体の蓄積を防ぐために、レセプタクル出口８３は、排水管システム（図示せず）と連通し得る。
【００２７】
図４に示す別の典型的な実施形態では、レセプタクル８２は例えばストラップ１０３を使って支柱又はポスト１０２に固定し得る。その結果、レセプタクル８２は地面水準より上に位置づけられる。このようなレセプタクル８２の位置決めは、例えば、暴風雨流去水が比較的深い流れを与えると予想されかつ地上水準より実質的に上の流れの一部から液体試料を得ることが所望される場合に、有益であり得る。液体試料収集システム８０がこのように使用される場合、排水管キャップ９６及びメッシュスクリーン１００は出口８３から暴風雨流去水中の所望しない砕片がレセプタクル８２に入るのを防ぐ支援をする。
【００２８】
レセプタクル８２は、図５にも示すように、レセプタクル８２より上に位置づけた支持部から吊り下げる態様で懸下するようにも形状構成し得る。典型的な実施形態では、レセプタクル８２は、レセプタクル８２にハーネス１０６を連結するための構造体を与えるためにレセプタクル８２の周りで周方向に設置した幾つかのパネル・ファスナー１０４を含む。ハーネス１０６は、下水管排水管の格子１１２のような支持部からレセプタクル８２を懸下するためのフック１０８を含む。ハーネス１０６は、ハーネス１０６を支持部に固定しかつハーネス１０６を支持部から取り外すことを容易にするためのばね荷重が掛けられたクリップ１１０も含み得る。この形状構成は、格子１１２を越えて下水系を通過する暴風雨流去水から液体試料を収集するには有利とし得る。レセプタクル８２は、レセプタクルを支柱又はパイプのような構造体に固定するのを容易にするための、レセプタクル８２の側部に形成した穴１１６を通じてレセプタクル８２に連結したタイ・ストラップ１１４を装備し得る。その結果、レセプタクル８２の位置は制御し得る。
【００２９】
本発明はその種々の実施形態を記載することによって説明し及び実施形態は相当に詳細に説明してきたが、特許請求の範囲をこのように詳細に制限又はともかく限定するようには構成していない。更なる利点及び変更は、当業者には容易に自明となる。したがって、本発明のより広範な態様は、特定の詳細、図示しかつ説明してきた代表的装置及び方法及び例示的実例に限定されない。従って、本発明の一般的な発明概念又は精神から逸脱せずに、こうした詳細から更なる発展をなし得る。
【図面の簡単な説明】
【００３０】
【図１】本発明による典型的な液体試料収集装置の斜視図である。
【図２】図１の装置の分解斜視図である。
【図３】図１の液体試料収集装置を含む液体試料収集システムの鉛直横断面図である。
【図３Ａ】図３の弁組立体の詳細な横断面図である。
【図４】本発明の典型的な液体試料収集システムの斜視図である。
【図５】本発明の別の典型的な液体試料収集システムの斜視図である。
【符号の説明】
【００３１】
１０  液体試料収集装置
１２  容器
１４  内部貯留槽
１６  開口
１７  クロージャー
１７ａ  別のクロージャー
１８  弁組立体
１９  穴
２０  弁ハウジング
２０ａ  開口
２２  フロート
２４  入口
２６  下部出口
２８  上部マージン
３０  分離器
３２  上部部材
３２ａ  外部表面
３４  下部部材
３４ａ  表面
３６  脚
３８  スピンドル
４０  穴
４２  リブ
４４  歯
４６  肩部
４８  タブ
４９  穴
５２  固体粒子
５６  スロット
５８  穴
６０  ガスケット
６０ａ  弁座
６２  開口
６４  穴
７０  導管
７２  第１端部
７４  第２端部
７６  フィルター
７８  穴
８０  液体試料収集システム
８１  入口
８２  レセプタクル
８３  出口
８４  内部チャンバ
８６  内径
８８  スタッド
９０  カバー
９１  スカート部分
９２  穴
９３  フランジ部分
９４  チェーン
９６  配水管キャップ
９８  穴
１００  メッシュスクリーン
１０１  地面
１０２  ポスト
１０３  ストラップ
１０４  パネル・ファスナー
１０６  ハーネス
１０８  フック
１１０  クリップ
１１２  格子
１１４  タイ・ストラップ
１１６  穴
【図１】
2004301842.tif 000003
【図２】
2004301842.tif 000004
【図３】
2004301842.tif 000005
【図３Ａ】
2004301842.tif 000006
【図４】
2004301842.tif 000007
【図５】
2004301842.tif 000008
【外国語明細書】
2004301842.tif 000009
2004301842.tif 000010
2004301842.tif 000011
2004301842.tif 000012
2004301842.tif 000013
2004301842.tif 000014
2004301842.tif 000015
2004301842.tif 000016
2004301842.tif 000017
2004301842.tif 000018
2004301842.tif 000019
2004301842.tif 000020
2004301842.tif 000021
2004301842.tif 000022
2004301842.tif 000023
2004301842.tif 000024
2004301842.tif 000025
2004301842.tif 000026
2004301842.tif 000027
2004301842.tif 000028
2004301842.tif 000029
2004301842.tif 000030
2004301842.tif 000031
2004301842.tif 000032
2004301842.tif 000033
2004301842.tif 000034
2004301842.tif 000035